(57)【要約】【課題】地震などで揺れが生じたときに、棚板上の収納物が棚板の前端部と各引き戸の間の隙間に落ちて壊れたり、引き戸を壊して正面側へ飛び出すことを防止できるようにした戸棚を提供する。【解決手段】食器棚(A)は本体(1)とその正面側に設けられた引き戸(2,3)及び内戸(4,5)を有している。引き戸(2,3)は案内部(6,7)に沿って互いに接触せずに横方向に移動することにより開閉可能である。引き戸(2,3)が閉じ位置にあるときは正面側が面一になり、間の隙間をなくすようにしてある。内戸(4,5)は棚板(16)の前部側近傍に横方向に移動することにより開閉可能である。引き戸(2,3)と内戸(4,5)は連結部材(41)により連動して開閉できるようにしてあり、引き戸(2,3)が開閉されるときの前後方向の移動量の変化は一端部が内戸(4)に固定されている連結部材(41)の他端側が引き戸(2)の案内管(24)内を進退動することにより吸収される。【選択図】図３
2008274656.tif 000002
【特許請求の範囲】
【請求項１】
対で構成され、それぞれが案内部に沿って互いに接触せずに横方向に移動することにより開閉可能であり、双方が閉じ位置にあるときは、双方の正面側が面一になり双方の間の隙間をなくすように設けられ、開き位置では一方が他方の後部側へ移動する引き戸(2,3)と、
該引き戸(2,3)の内方側に所要間隔をおいて設けられ、棚板(16)の前端部の前部側近傍に横方向に移動することにより開閉可能に設けられている内戸(4,5)と、
前記引き戸(2,3)と内戸(4,5)が連動して同時に開閉できるように引き戸(2,3)と内戸(4,5)を連結し、各引き戸(2,3)が横方向へ移動するときに引き戸(2,3)と内戸(4,5)間の間隔が変化してもその変化に関わらず引き戸(2,3)と内戸(4,5)を連結したまま開閉できる連結手段と、
を備えている、戸棚。
【請求項２】
連結手段が引き戸(2,3)と内戸(4,5)をつなぐ棒状の連結部材(41,51)であり、該連結部材(41,51)は、一端部が内戸(4,5)に固定されており、他端側が引き戸(2,3)の前後方向に設けられた挿通孔(24,34)に進退可能に挿通されている構造である、請求項１の戸棚。
【請求項３】
連結手段が引き戸(2,3)と内戸(4,5)をつなぐ棒状の連結部材(41a,51a)であり、該連結部材(41a,51a)は、一端部が引き戸(2,3)に固定されており、他端側が内戸(4,5)に設けられた掛止孔(42,52)に進退可能に挿通されている構造である、請求項１の戸棚。
【発明の詳細な説明】
【技術分野】
【０００１】
本発明は、戸棚に関する。更に詳しくは、収納部の扉が引き戸構造であり、引き戸の一方が閉じ位置にあるときは、同じく閉じ位置にあり隣り合う他方の引き戸と正面側が面一になるように設けられていると共に、引き戸を閉じたときの密閉性を向上させた食器棚等の戸棚であって、例えば地震が発生し、揺れを生じたときに、食器等の収納物が棚板の前端部と各引き戸の間の隙間に落ちて壊れたり、引き戸を壊して正面側へ飛び出し、床に落ちて散乱したりすることを防止できるようにしたものに関する。
【背景技術】
【０００２】
収納部の扉に引き戸構造を使用した食器棚等の戸棚は、左右の戸板を引き違えることによって開閉する構造である。このため、各引き戸は、すれ違うときにぶつからないように、前後にやや隙間があくように配置されている。したがって、引き戸構造は、引き戸を閉じたときに気密構造にするのが構造的に難しく、隙間からほこり等が侵入しやすかった。
【０００３】
この課題を解消するものとして、本願発明者は、引き戸を閉じたときには各引き戸が密閉性（気密性）をもって正面側で面一になる構造の食器棚を提案した（特許文献１参照）。
特許文献１の食器棚は、左右の引き戸をそれぞれ開閉方向へ案内する二系統のガイド溝を有し、両ガイド溝は引き戸の後部側で交差する構造であり、一方の引き戸を閉じたときには他方の閉じ位置にある引き戸と正面側で面一になり、閉じた各引き戸の間には隙間がないように構成されている。
【０００４】
【特許文献１】特許第３６９３６２８号
【発明の開示】
【発明が解決しようとする課題】
【０００５】
前記特許文献１の食器棚は、各引き戸を閉じたときの密閉性に優れ、また、閉じたときに各引き戸の正面側が面一になるために意匠的な美感に優れており、商品としての価値も高い。しかしながら、一方で、次のような改善すべき課題があることもわかってきた。
【０００６】
すなわち、各引き戸を閉じたときには、棚板の前端部と各引き戸の間に、収納部の全幅にわたり比較的大きな隙間（空間部）が形成されている。このため、例えば地震が発生して揺れが生じたときには、棚板上の食器類が前記隙間から下に落ちたり、あるいは食器類が各引き戸のガラス板等を壊して外へ飛び出し、床に落下して散乱する危険性が高い。
【０００７】
そこで本発明の目的は、収納部の扉が引き戸構造であり、引き戸の一方が閉じ位置にあるときは、同じく閉じ位置にあり隣り合う他方の引き戸と正面側が面一になるように設けられていると共に、引き戸を閉じたときの密閉性を向上させた食器棚等の戸棚であって、例えば地震が発生して揺れが生じたときに、棚板上の食器等の収納物が棚板の前端部と各引き戸の間の隙間に落ちて壊れたり、引き戸を壊して正面側へ飛び出し、床に落ちて散乱したりすることを防止できるようにした戸棚を提供することである。
【課題を解決するための手段】
【０００８】
上記課題を解決するために本発明が講じた手段は次のとおりである。
本発明は、
対で構成され、それぞれが案内部に沿って互いに接触せずに横方向に移動することにより開閉可能であり、双方が閉じ位置にあるときは、双方の正面側が面一になり双方の間の隙間をなくすように設けられ、開き位置では一方が他方の後部側へ移動する引き戸と、
該引き戸の内方側に所要間隔をおいて設けられ、棚板の前端部の前部側近傍に横方向に移動することにより開閉可能に設けられている内戸と、
前記引き戸と内戸が連動して同時に開閉できるように引き戸と内戸を連結し、各引き戸が横方向へ移動するときに引き戸と内戸間の間隔が変化してもその変化に関わらず引き戸と内戸を連結したまま開閉できる連結手段と、
を備えている、戸棚である。
【０００９】
本発明の戸棚は、
連結手段が引き戸と内戸をつなぐ棒状の連結部材であり、該連結部材は、一端部が内戸に固定されており、他端側が引き戸の前後方向に設けられた挿通孔に進退可能に挿通されている構造であるのが好ましい。
【００１０】
本発明の戸棚は、
連結手段が引き戸と内戸をつなぐ棒状の連結部材であり、該連結部材は、一端部が引き戸に固定されており、他端側が内戸に設けられた掛止孔に進退可能に挿通されている構造であるのが好ましい。
【００１１】
内戸の材料としては、壊れにくい合成樹脂を採用するのが好ましいが、特に限定するものではない。また、内戸には、収納部内部が見えるように透明体を採用するのが好ましいが、これに限定するものではなく、半透明体や不透明体を採用することもできる。
【００１２】
（作用）
本発明の戸棚の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１３】
戸棚(A)は、各引き戸(2,3)が閉じている状態では、各引き戸(2,3)の正面側が面一（前後方向において同じ位置）になり、表面が揃っているので、引き戸構造の戸棚として意匠的な美感に優れている。また、各引き戸(2,3)が閉じている状態では、各引き戸(2,3)の間の隙間は実質的になくなっており、戸棚(A)の内部の収納部(10)にほこりが入ることも防止することができる。
【００１４】
また、各引き戸(2,3)を閉じた状態では、引き戸(2,3)と連動するようになっている各内戸(4,5)も閉じられている。各内戸(4,5)は、棚板(16)の前端部の前部側近傍に設けられており、棚板(16)の前端部との間には隙間がほとんど形成されていない。この状態では、例えば地震が発生して揺れが生じたときに、棚板(16)上の食器等の収納物が棚板(16)の前端部と各引き戸(2,3)の間の隙間に落ちて壊れたり、引き戸(2,3)のガラスを壊して正面側へ飛び出し、これらが床に落ちて壊れて散乱したりすることを防止できる。
【００１５】
各引き戸(2,3)を閉じた状態から、一方の引き戸(2)を開く方向へ押すと、引き戸(2)は背面方向（後方）へ移動しながら他方の閉じ位置にある引き戸(3)の後ろ側を案内部(6,7)に沿って横方向へ移動し、全開き位置で停止する。引き戸(2)の横方向への移動に伴い、連結手段(41)で引き戸(2)とつながっている内戸(4)も同じ方向へ同時に移動する。
【００１６】
引き戸(2,3)は、開き方向へ移動するときは、案内部(6,7)に沿って背面方向へ移動し、逆に開き位置から閉じ方向へ移動するときは、案内部(6,7)に沿って正面方向（前方向）へ移動する。連結手段は、このときの引き戸(2,3)が前後方向に移動するときの引き戸(2,3)と内戸(4,5)の間隔の変化に関わらず引き戸(2,3)と内戸(4,5)を連動させることができ、引き戸(2,3)と内戸(4,5)に無理な力が作用することもない。
【００１７】
本発明の戸棚が、連結手段が引き戸と内戸をつなぐ棒状の連結部材であり、連結部材は、一端部が内戸に固定されており、他端側が引き戸の前後方向に設けられた挿通孔に進退可能に挿通されている構造であるものは、引き戸(2,3)が横方向へ移動するときの引き戸(2,3)と内戸(4,5)の間隔の変化に関わらず、引き戸(2,3)に設けられた挿通孔(24,34)に連結部材(41,51)を挿通させた状態で、引き戸(2,3)が挿通孔(24,34)を連結部材(41,51)に沿わせるようにして進退動することにより、引き戸(2,3)と内戸(4,5)を連動させることができる。
【００１８】
本発明の戸棚が、連結手段が引き戸と内戸をつなぐ棒状の連結部材であり、該連結部材は、一端部が引き戸に固定されており、他端側が内戸に設けられた掛止孔に進退可能に挿通されている構造であるものは、引き戸(2,3)が横方向へ移動するときの引き戸(2,3)と内戸(4,5)の間隔の変化に関わらず、内戸(4,5)に設けられた掛止孔(42,52)に連結部材(41a,51a)を挿通させた状態で進退動することにより、引き戸(2,3)と内戸(4,5)を連動させることができる。
【発明の効果】
【００１９】
本発明は、収納部の扉が引き戸構造であり、引き戸の一方が閉じ位置にあるときは、同じく閉じ位置にあり隣り合う他方の引き戸と正面側が面一になるように設けられていると共に、引き戸を閉じたときの密閉性を向上させた食器棚等の戸棚において、各引き戸を閉じた状態では、引き戸と連動するようになっている各内戸も閉じられており、各内戸は、棚板の前端部の前部側近傍に設けられており、棚板の前端部との間には隙間がほとんど形成されていない。この状態では、例えば地震が発生して揺れが生じたときに、棚板上の食器等の収納物が棚板の前端部と各引き戸の間の隙間に落ちて壊れたり、引き戸のガラスなどを壊して正面側へ飛び出し、これらが床に落ちて壊れて散乱したりすることを防止できる。
【発明を実施するための最良の形態】
【００２０】
本発明を図に示した実施例に基づき詳細に説明する。
【実施例】
【００２１】
図１は本発明に係る食器棚の一実施の形態を示す正面図、
図２は図１におけるＡ−Ａ断面図、
図３は図１におけるＢ−Ｂ断面図、
図４は図２の状態から右側の引き戸を開けた状態の断面説明図、
図５は図２の状態から左側の引き戸を開けた状態の断面説明図である。
【００２２】
図６は図１５のII−II部分に対応する断面を示す拡大説明図、
図７は図６で左側の第１引き戸を移動させて左側の出入口を段階的に開いている状態を示す概略説明図、
図８は図６で右側の第２引き戸を移動させて右側の出入口を段階的に開いている状態を示す概略説明図である。
なお、図７及び図８では、説明の都合上、移動させている方の引き戸を想像線（二点鎖線）で図示している。
【００２３】
図９は図６に示す敷居の長手方向の中間部分を示す要部拡大説明図、
図１０は図９の矢印III−III、IV−IV、V−V部分に対応する端面を示す概略説明図、
図１１は図９の斜視説明図である。
なお、図１１、後述する図１６及び図１９については、便宜上、引き戸２または引き戸３の下側の一部を想像線で図示している。          
【００２４】
戸棚である食器棚Ａは、底板１１、左側板１２、右側板１３、背面板１４及び天板１５により構成された本体１と、本体１の正面側に設けられている一対の引き戸２、３及びそれらの内方に設けられており、引き戸２、３と連動する一対の内戸４、５を備えている。また、内戸４、５の内方側は収納部１０となっており、収納部１０の中段には、水平な棚板１６が設けられている。
【００２５】
前記内戸４、５は、棚板１６の前端縁（前端面）と平行に、かつ横方向へ移動できるように設けられている。内戸４、５は、底板１１と天板１５に設けられているガイドレール１７（図３参照）に沿って直線的に引き違って開閉できる構造となっている。また、左側板１２と右側板１３の内面には、内戸４、５の両端辺部が入る溝１８が設けられており、内戸４、５を閉じたときの密閉性を高めている。なお、棚板１６に近い側の内戸４は、棚板１６の前端縁とほぼ隙間のない位置でスライドできるように設けられている。
【００２６】
内戸４、５の前方には、所要の間隔をおいて引き戸２、３が設けられている。引き戸２、３は、後述するように下部案内部６と上部案内部７に案内されて、左右方向へ移動可能である。
【００２７】
引き戸２、３と内戸４、５の連動構造は次のとおりである。なお、引き戸２と内戸４、及び引き戸３と内戸５の連動構造は、設けられている箇所が左右対称位置にあるだけで構造は同様であるので、ここでは、図２において左側の引き戸２と内戸４の連動構造を説明し、右側の引き戸３と内戸５の連動構造については説明を省略する。また、引き戸３と内戸５の連動構造の各部の符号については、引き戸２と内戸４の連動構造の説明の符号の後に、図に示した対応する符号を括弧付き符号で示す。
【００２８】
引き戸２（３）の枠２８（３８）の左端側の正面側には、所要長さの引手２２（３２）が上下方向に取り付けられている。引き戸２の枠２８の裏面側には、引手２２に対応させて補強部材２３（３３）が取り付けられている。引手２２と補強部材２３が設けられている部分の上下方向中間部を挟んで上下二箇所には、補強部材２３側から引手２２側へ向けて挿通孔である案内管２４（３４）が埋設されている。案内管２４は、補強部材２３側は開口しており、引手２２側は閉塞されている。
【００２９】
内戸４の左端側の上下方向中間部を挟んで上下二箇所には、連結手段を構成する棒状の連結部材４１（５１）の一端が固着されている。各連結部材４１は引き戸２側へ延長され、前記各案内管２４に進退可能に挿通されている。連結部材４１の長さ及び案内管２４の深さ（奥行き）は、引き戸２と内戸４が最も離れたときに案内管２４から抜け外れることがなく、引き戸２と内戸４が最も近づいたときに先端が案内管２４の孔底に当たらない長さ及び深さに設定されている。
なお、連結部材４１の取り付けは、本実施の形態のように固着でもよいし、取付位置がずれないのであれば多少揺動できるように取り付けてもよい。これについては、後述する食器棚Ａの連結部材４１ａ、５１ａも同様である。
【００３０】
以下、引き戸２、３を有する引き戸構造を詳細に説明する。
引き戸２、３は、底板１１の上面に設けられた下部案内部６と、天板１５の下面に設けられた上部案内部７に沿って、横方向に移動可能に設けられている。
引き戸２、３は、双方とも閉じられた状態では、正面側が面一となる。そして、一方の引き戸（例えば２）を動かして、他方の引き戸（例えば３）の後面側に移動させることにより、引き戸を開けることができる。
【００３１】
引き戸２、３が双方とも閉められた状態で、引き戸２、３の隣接部分が隙間なく合わさるように、引き戸２（図２において左側）の右端部には正面側の一部を４５°に傾斜させて合わせ面２１が形成され、引き戸３（図２において右側）の左端部には正面側の一部を４５°に傾斜させて合わせ面３１が形成されている。
【００３２】
また、底板１１の幅方向中央部の上面と、天板１５の幅方向中央部の下面の間には、引き戸２、３が双方とも閉じ位置にあるときの引き戸２、３の隣接部分が正面側から見えないようにする細長い直板状の目隠し部材８が縦方向に設けられている。目隠し部材８は、引き戸２及び引き戸３の隣接部分の正面側の外形に合わせ、その背面側に断面が三角形状の合わせ部８１を備えている。
【００３３】
引き戸２の右端側背面部分は背面左側方向に約４５°の角度をもって傾斜させ、引き戸３の左端側背面部分も同様に背面右側方向に約４５°の角度をもって傾斜させて逃げ面２５、３５が設けられている。このような構成により、引き戸２または引き戸３を移動させる場合に、各引き戸２、３が互いに接触することがないようにしている。なお、図示はしていないが、逃げ面２５、３５と背面との間の角部にローラを設けて、仮に接触した場合の擦れ合いが円滑にできるようにして、よりスムーズな引き違いができるようにしてもよい。
【００３４】
一方の引き戸２の横方向の左端部は、引き戸構造の枠を構成する左側板１２の内面に全高に渡り設けられている溝１２１に嵌め入れ自在となっている。また、他方の引き戸３の横方向の右端部も同様に、右側板１３の内面に全高に渡り設けられている溝１３１に嵌め入れ自在となっている。
【００３５】
前記下部案内部６は、各引き戸２、３の横方向の移動を案内するもので、後述する各ガイド溝が設けられている。ガイド溝は、その長手方向の中間部を境に、ほぼ左右対称に形成されている。また、後述するように、各ガイド溝の深さはすべて同じではなく、所定箇所に所定の深さの溝が形成されており、溝の深さは「深」、「中」、「浅」と三段階に分けて設定されている。
【００３６】
図１２は各引き戸の上部側及び下部側をそれぞれ拡大し、各引き戸の長手方向の中央部分及び短辺方向の中央部分を一部省略した正面視説明図、
図１３は各引き戸に設けられた下部案内部のガイド溝を走行する各案内部材を示す拡大斜視説明図である。
【００３７】
各引き戸２、３の下面側にそれぞれ設けられている案内部材である各案内ピン５４ｃ、５５ｃ、６４ｄ、５４ｄが、前記下部案内部６を走行する。各案内ピン５４ｃ、５５ｃ、６４ｄ、５４ｄは、図６に示すように、各引き戸２、３の左右両側にそれぞれ（両引き戸２、３合わせて、合計４箇所）設けられている。
本実施の形態では、下部案内部６の溝の幅と深さと、後述する案内ピン５４ｃ、５５ｃ、６４ｄ、５４ｄが有する案内体５４２の幅と高さ方向の位置との組み合わせにより引き戸２、３を円滑に引き違えることができる。
【００３８】
まず、各引き戸２、３の下部、つまり下部案内部６側に設けられている案内ピンについて、説明する。なお、説明の都合上、図１２で引き戸２の下面左側に設けられているものを左案内ピン５４ｃ、右側に設けられているものを右案内ピン５５ｃとする。
また、他方の引き戸３の下面左側に設けられているものを左案内ピン６４ｄ、右側に設けられているものを右案内ピン５４ｄとする。
【００３９】
図１３は各案内ピン５４ｃ、５５ｃ、６４ｄ、５４ｄの拡大斜視説明図で、そのうち(ａ)は引き戸２の左案内ピン５４ｃ及び引き戸３の右案内ピン５４ｄを示し、(ｂ)は引き戸２の右案内ピン５５ｃを示し、(ｃ)は引き戸３の左案内ピン６４ｄを示している。
各案内ピン５４ｃ・・・は、後述するように、同じ構成部材で構成されているが、その軸芯方向の長さや全体形状が多少異なっている。
【００４０】
図１２に示す引き戸２の左案内ピン５４ｃと、引き戸３の右案内ピン５４ｄは、図１３(ａ)に示すように、同じか大体同じものである。左案内ピン５４ｃと右案内ピン５４ｄは、各引き戸２、３の戸板下面側から下方へ突出した軸部５４１の先部側に、円柱状の回転体（案内ローラ）である案内体５４２を回転可能に備えている。更に、軸部５４１には、上記した案内体５４２よりも径が小さい案内体（案内ローラ）である回転体５４３・・・が上下に回転可能に３段に重ねて設けられている。
【００４１】
図１２に示す引き戸２の右案内ピン５５ｃは、図１３(ｂ)に示すように、引き戸２の左案内ピン５４ｃ（図１３(ａ)参照）と本質的に同じような構造であるが、左案内ピン５４ｃよりも軸芯方向の長さが短い。詳しくは、軸部５５１に管状の回転体５４３が１つ設けられている。軸部５５１の先部側に回転可能に設けられている案内体５４２は、図１３(ａ)に示す左案内ピン５４ｃの案内体５４２と同じか大体同じである。  
【００４２】
図１２に示す引き戸３の左案内ピン６４ｄは、図１３(ｃ)に示すように、軸部５４１の先部側に、管状の回転体５４３を回転可能に２箇所重ねて有している。更に、回転体５４３、５４３の上に、径の大きな円柱状の回転体である案内体５４２を回転可能に備えている。案内体５４２は、図１３(ａ)、(ｂ)に示す左案内ピン５４ｃ及び右案内ピン５５ｃの案内体５４２と同じか大体同じである。  
【００４３】
なお、図１２では図示を省略しているが、各案内ピン５４ｃ、５５ｃ、６４ｄ、５４ｄは、引き戸の本体内部に収納可能な構成となっている。これによれば、突出した各案内ピン５４ｃ・・・を引き戸の本体内部に引っ込めることにより、下部案内部６と上部案内部７への引き戸２、３の取り付けあるいは取り外しを容易に行うことができる。
また、図６または図１２に示すように、各引き戸２、３の下面には、回転可能なボールを備えた戸車４３１が設けられている。
【００４４】
ボールを備えた戸車４３１は、図６に示すように各引き戸２、３ごとに所定の間隔をおいてそれぞれ４箇所（両方の引き戸２、３合わせて合計８箇所）並設されている。図６、図７及び図８に示すように、戸車４３１・・・は下部案内部６ではなく、下部案内部６が設けられていない底板１１の上面側を走行する。この戸車４３１・・・によって、下部案内部６にかかる引き戸２、３の荷重が支えられている。
【００４５】
戸車４３１・・・を使用することにより、引き戸２、３を容易に且つ円滑に正面、背面方向及び横方向（左右方向）に移動させることができる。なお、引き戸２、３が移動することによって、戸車４３１・・・が下部案内部６の上面を走行することはあるが、複数あるうちのいずれかの戸車４３１・・・が、下部案内部６上面を走行して引き戸２、３を支えており、引き戸２、３が傾くなどの不都合が生じることを防止している。
【００４６】
なお、図示はしていないが、図６で、少なくとも戸車４３１・・・が走行する下部案内部６の上面の所要箇所には、各引き戸２、３を円滑に移動させるために、摩擦抵抗が小さいプラスチック製や金属製の滑り板が設けられている。
【００４７】
図６で下部案内部６に設けられている各ガイド溝について、詳しく説明する。
下部案内部６は、その長手方向の中間部分から左右両側に向かって、召合せガイド溝６７ｃ、６７ｄ、直行ガイド溝６８ｃ、６８ｄ、収容ガイド溝６９ｃ、６９ｄ及び斜行ガイド溝６０ｃ、６０ｄを有している。
【００４８】
直行ガイド溝６８ｃ、６８ｄ及び収容ガイド溝６９ｃ、６９ｄは、各引き戸２、３の主に左右方向への移動を案内する。これに対し、召合せガイド溝６７ｃ、６７ｄ及び斜行ガイド溝６０ｃ、６０ｄは、各引き戸２、３の主に正面方向または背面方向への移動を案内する。
【００４９】
なお、説明の都合上、下部案内部６の長手方向の中間部分を境にして、図６で左側に設けられている各ガイド溝を第１のガイド溝とし、右側に設けられているガイド溝を第２のガイド溝とする。
左側の第１のガイド溝は、中央から、第１召合せガイド溝６７ｃ、第１直行ガイド溝６８ｃ、第１収容ガイド溝６９ｃ及び第１斜行ガイド溝６０ｃを備えている。
右側の第２のガイド溝は、中央から、第２召合せガイド溝６７ｄ、第２直行ガイド溝６８ｄ、第２収容ガイド溝６９ｄ及び第２斜行ガイド溝６０ｄを備えている。
【００５０】
第１直行ガイド溝６８ｃ及び第２直行ガイド溝６８ｄについて説明する。
各直行ガイド溝６８ｃ、６８ｄは、下部案内部６の長手方向の中間部の両側を始点として、左右両側に向かって本質的に直線状に設けられている。各直行ガイド溝６８ｃ、６８ｄの深さは同じか大体同じであり、三段階のうちの「深」に設定されている。
【００５１】
第１召合せガイド溝６７ｃ及び第２召合せガイド溝６７ｄについて説明する。
各召合せガイド溝６７ｃ、６７ｄは、図６で下部案内部６の長手方向の中間部分に位置し、左右両外側に位置する各直行ガイド溝６８ｃ、６８ｄと連続している。各召合せガイド溝６７ｃ、６７ｄは、図９に示すように、互いに交差する湾曲部分を有している。この部分は、楕円を直交する二つの直線で４分の１に分断し、その分断した円周部の二つを位置をずらして交差させたような形状となっている。
【００５２】
図９で左側の第１召合せガイド溝６７ｃには、左側の引き戸２の右案内ピン５５ｃが走行する。第１召合せガイド溝６７ｃは、図１０(ａ)及び図１１に示すように、後述する第２召合せガイド溝６７ｄ（図１０(ｂ)参照）の深さよりも一段高く、３段階のうちの「浅」に設定されている。
【００５３】
図９で右側の第２召合せガイド溝６７ｄには、右側の引き戸３の左案内ピン６４ｄが走行する。第２召合せガイド溝６７ｄは、図１０（ｂ）及び図１１に示すように、第１直行ガイド溝６８ｃ及び第２直行ガイド溝６８ｄ（図１０(ｃ)参照）よりも一段高く、第１召合せガイド溝６７ｃ（図１０(ａ)参照）よりも一段低い３段階のうちの「中」の深さとなっている。よって、第２召合せガイド溝６７ｄと第１召合せガイド溝６７ｃとの交差部分には、溝の深さの違いによって生じる段差である通過防止部７１２が形成されている。
【００５４】
また、図９及び図１１に示すように、第１召合せガイド溝６７ｃと交差する部分を除いて、第２召合せガイド溝６７ｄの内縁部には、溝の幅を狭くすることによって生じる段差である通過防止部７１ｄ（図１０(ｂ)も参照）が連続して設けられている。この通過防止部７１ｄ上を、図１２に示す引き戸３の左案内ピン６４ｄの案内体５４２がスライド走行し、通過防止部７１ｄで囲まれた凹部７１１を管状の回転体５４３、５４３（図１３(ｂ)も参照）が走行する。通過防止部７１ｄの深さは、図１０（ｂ）に示すように、「浅」に設定された第１召合せガイド溝６７ｃ（図１０（ａ）参照）よりも一段浅く形成されている。
【００５５】
図１４は図６に示す下部案内部の長手方向の左端部分を示す要部拡大説明図、
図１５は図１４の矢印VI−VI部分、VII−VII部分、VIII−VIIIの通過防止部側に対応する端面を示す概略説明図、
図１６は図１４に示す下部案内部の長手方向の左端部分を中央側から見た要部拡大斜視説明図である。
【００５６】
第１収容ガイド溝６９ｃ及び第１斜行ガイド溝６０ｃについて説明する。
図１４に示すように、左側の第１収容ガイド溝６９ｃは、第１直行ガイド溝６８ｃの左端側から左側方へ直線状に連続して設けられている。第１収容ガイド溝６９ｃは、図１５（ａ）及び図１６に示すように、深さが「深」に設定された第１直行ガイド溝６８ｃ及び第１収容ガイド溝６９ｃ（図１５(ｂ)参照）よりも一段高く、３段階のうちの「中」の深さとなっている。これにより、第１収容ガイド溝６９ｃと第２直行ガイド溝６８ｃとの境には、溝の深さの違いによって生じる段差（側面部）がある通過防止部９２ｃが形成されている。
【００５７】
更に、第１収容ガイド溝６９ｃの内縁部には、溝の幅を狭くすることによって生じる段差である通過防止部９１ｃ（図１５（ａ）も参照）が連続して設けられている。通過防止部９１ｃの深さは、図１１で示した第２召合せガイド溝６７ｄの通過防止部７１ｄと同じか大体同じである。
【００５８】
図６で第１斜行ガイド溝６０ｃは、第１直行ガイド溝６８ｃの左側外方へややカーブしながら連続して設けてあり、中央部分が正面側へやや反った状態で形成されている。第１斜行ガイド溝６０ｃは、図１５（ｂ）及び図１６に示すように、第１直行ガイド溝６８ｃと同じか大体同じ深さで三段階の「深」に設定されている。
【００５９】
第１斜行ガイド溝６０ｃを、引き戸２の左案内ピン５４ｃが走行する。
第１斜行ガイド溝６０ｃの基端側（第１直行ガイド溝６８ｃと連続する側）の上面側内縁部には、図９に示す引き戸３の左案内ピン６４ｄの通過を防止する通過防止部１００ｃ、１００ｃ（図１５(ｃ)参照）が向かい合うようにして設けられている。通過防止部１００ｃ、１００ｃにより、第１斜行ガイド溝６０ｃの基端側は、幅が狭くなっている。
【００６０】
この通過防止部１００ｃ、１００ｃにより、図１５(ｃ)に示すように、第１斜行ガイド溝６０ｃの基端側（第１直行ガイド溝６８ｃと連続する側）の間隙（後述する選択通過部１０１ｃの上部側）は、その幅の広さが狭くなっており、第１直行ガイド溝６８ｃの幅よりも狭くなっている。
ただし、図１５(ｃ)に示すように、通過防止部１００ｃ、１００ｃの下方側は、第１直行ガイド溝６８ｃと同じか大体同じ幅になっており、選択通過部１０１ｃを構成している。選択通過部１０１ｃは、引き戸２の左案内ピン５４ｃ（図１２も参照）が、第１収容ガイド溝６０ｃと第１直行ガイド溝６８ｃの間で通過することを妨げない。
【００６１】
図１７は図６に示す下部案内部の長手方向の右端部分を示す要部拡大説明図、
図１８は図１７の矢印IX−IX部分、X−Xの通過防止部側、XII−XII部分に対応する端面を示す概略説明図、
図１９は図１７に示す下部案内部の長手方向の右端部分を中央側から見た要部拡大斜視説明図である。
【００６２】
第２収容ガイド溝６９ｄ及び第２斜行ガイド溝６０ｄについて説明する。
図１７に示すように、右側の第２収容ガイド溝６９ｄは、第２直行ガイド溝６８ｄの右端側から右側方へ直線状に連続して設けられている。第２収容ガイド溝６９ｄは、図１８（ａ）及び図１９に示すように、深さが「深」に設定された第２直行ガイド溝６８ｄ及び第２収容ガイド溝６９ｄ（図１８(ｃ)参照）よりも、更に二段分高く、三段目の「浅」に設定されている。これにより、第２収容ガイド溝６９ｄと第２直行ガイド溝６８ｄとの境には、溝の深さの違いによって生じる段差（側面部）である通過防止部９２ｄが形成されている。
【００６３】
第２斜行ガイド溝６０ｄは、左側の第１斜行ガイド溝６０ｃと左右対称に形成され、第２直行ガイド溝６８ｄの深さと同じか大体同じ「深」に設定されている。
第２斜行ガイド溝内６０ｄを、引き戸３の右案内ピン５４ｄが走行する。第２斜行ガイド溝６０ｄにも、左側の第１斜行ガイド溝６０ｃと同様（ただし、左右対称）、図１８（ｂ）及び図１９に示すように、通過防止部１００ｄ、１００ｄ及び選択通過部１０１ｄが設けられている。
選択通過部１０１ｄは、引き戸３の右案内ピン５４ｄ（図１２も参照）が、第２収容ガイド溝６９ｄと第１直行ガイド溝６８ｄの間で通過することを妨げられない。
【００６４】
以上説明した下部案内部６に対し、上部案内部７は図示を省略しているが、下部案内部６と同じか大体同じ構造となっている。つまり、下部案内部６と上部案内部７の形状は同じか大体同じであり、製造に際し、下部案内部６と同じものを上部案内部７として使用することができる。そして、各ガイド溝同士が向かい合うように、下部案内部６と上部案内部７を相対向させて配置してある。
【００６５】
しかしながら、同じか大体同じガイド溝を有する下部案内部６と上部案内部７を向かい合わせに配置しているため、図６で下部案内部６の各ガイド溝の左側の形状は、図１５で上部案内部７の右側に位置し、下部案内部６の各ガイド溝の右側の形状は、図１５で上部案内部７の左側に位置する。
また上記した上部案内部７に伴い、引き戸２の底面側の右案内ピン５５ｃは、引き戸３の上面側の左端側に位置し、引き戸３の底面側の左案内ピン６４ｄは、引き戸２の上面側の右端側に位置する。
【００６６】
（作  用）
図６に示すように、食器棚Ａは、引き戸２と引き戸３が双方とも閉じてある状態では引き戸２と引き戸３の正面側は面一になっており、表面が揃っているので、引き戸構造の食器棚として意匠的な美感に優れている。
また、引き戸２と引き戸３の召合せ側（内側）は、目隠し部材８と隙間が生じないように接しており、引き戸２の左端部と引き戸３の右端部は、それぞれ左側板１２の溝１２１と右側板１３の溝１３１に嵌め入れられている。したがって、各引き戸２、３を閉めたときの密閉性（気密性）は高く、食器棚Ａの内部の収納部１０にほこりが入ることを防止することができる。
【００６７】
また、前記各引き戸２、３を閉じた状態では、引き戸２、３と連動するようになっている各内戸４、５も閉じられている。各内戸４、４は、棚板１６の前端部の前部側近傍に設けられており、棚板１６の前端部との間には隙間がほとんど形成されていない。この状態では、例えば地震が発生して揺れが生じたときに、棚板１６上の食器等の収納物９が棚板１６の前端部と各引き戸２、３の間の隙間に落ちて壊れたり、引き戸２、３のガラス２９、３９を壊して正面側へ飛び出し、これらが床に落ちて壊れて散乱したりすることを防止できる。
【００６８】
前記各引き戸２、３を閉じた状態から、一方の引き戸２を開く方向へ押すと、引き戸２は背面方向（後方）へ移動しながら他方の閉じ位置にある引き戸３の後ろ側を下部案内部６と上部案内部７に沿って横方向へ移動し、全開き位置で停止する。引き戸２の横方向への移動に伴い、この引き戸２と連結部材４１でつながっている内戸４も同じ方向へ同時に移動する。
【００６９】
引き戸２、３は、開き方向へ移動するときは、下部案内部６と上部案内部７に沿って背面方向（後方向）へ移動し、逆に開き位置から閉じ方向へ移動するときは、下部案内部６と上部案内部７に沿って正面方向（前方向）へ移動する。このときの引き戸２、３が前後方向に移動するときの移動量の変化は、引き戸２、３と内戸４、５をつないでいる連結部材４１が案内管２４、３４内を相対的に進退動することによって吸収され（または受け入れられ）、引き戸２、３と内戸４、５に無理な力が作用することもなく、引き戸２、３と内戸４、５を連動させることができる。
【００７０】
なお、引き戸構造の作用（引き戸２、３の開閉のメカニズム）は次のとおりである。
図６で示す出入口を閉じた状態では、引き戸２の左案内ピン５４ｃは、第１斜行ガイド溝６０ｃの先部側に位置し、右案内ピン５５ｃは、第１召合せガイド溝６７ｃの先部側に位置している。
一方、引き戸３の左案内ピン６４ｄは、第２召合せガイド溝６７ｄの先部側に位置し、右案内ピン５４ｄは、第２斜行ガイド溝６０ｄの先部側に位置している。
【００７１】
左側の引き戸２を移動させた場合の各ガイド溝を走行する各案内ピン５４ｃ、５５ｃの動きについて説明する。
【００７２】
図２０は図７(ａ)に対応し、引き戸の右案内ピンの動きを示す拡大斜視説明図、
図２１は図７(ｂ)に対応し、引き戸の左案内ピンの動きを示す拡大斜視説明図、
図２２は図７(ｃ)に対応し、引き戸の右案内ピンの動きを示す拡大斜視説明図である。
なお、便宜上、引き戸２の下側の一部を想像線で図示している。     
図６、図７、図１２、図２０ないし図２２を参照する。
【００７３】
（図６から図７(ａ)に示す状態まで、引き戸２を移動させた場合）
引き戸２の左案内ピン５４ｃは、第１斜行ガイド溝６０ｃを走行しながら左から右側へ移動する。引き戸２の右案内ピン５５ｃは、図２０に示すように、第１召合せガイド溝６７ｃから第２直行ガイド溝６８ｄ側へ走行し、右側の第２召合せガイド溝６７ｄ内に入り込むことは防止されている。この理由は以下の通りである。
【００７４】
引き戸２の右案内ピン５５ｃは、図１２に示すように引き戸２の左案内ピン５４ｃよりも短く、図２０で示す深さが「浅」に設定された第１召合せガイド溝６７ｃを走行する。
一方、右側の第２召合せガイド溝６７ｄには、その内縁部に通過防止部７１ｄが設けられている。よって、引き戸２の右案内ピン５５ｃの案内体５４２と同じ高さにある第２召合せガイド溝６７ｄ部分は、幅が狭くなっている。これにより、引き戸２の右案内ピン５５ｃは、第２召合せガイド溝６７ｄ内に入り込むことはない。
【００７５】
（更に図７(ｂ)に示す状態まで、引き戸２を移動させた場合）
引き戸２の左案内ピン５４ｃは、図２１に示すように、第１斜行ガイド溝６０ｃを通過して第１直行ガイド溝６８ｃを走行する。この理由は以下の通りである。
【００７６】
図１２に示すように、引き戸２の左案内ピン５４ｃの案内体５４２は、右案内ピン５５ｃの案内体５４２よりも高さ方向の位置が低い。また、図２１に示すように、第１収容ガイド溝６９ｃと第１直行ガイド溝６８ｃとの境目には通過防止部９２ｃが形成されている。このため、引き戸２の左案内ピン５４ｃは、案内体５４２が通過防止部９２ｃに沿いながら（当接しながら）、第１収容ガイド溝６９ｃから第１直行ガイド溝６８ｃへと走行する。
【００７７】
逆に、出入口を閉める方向（下部案内部６の右方向）へ引き戸２を移動させた場合、引き戸２の左案内ピン５４ｃは、通過防止部９２ｃに沿いながら（当接しながら）移動し、第１直行ガイド溝６８ｃから第１収容ガイド溝６９ｃに入り込むことはない。
【００７８】
（更に図７(ｃ)に示す状態まで、引き戸２を移動させた場合）
図７(ｃ)に示すように、引き戸２の左案内ピン５４ｃ及び右案内ピン５５ｃは、第１直行ガイド溝６８ｃ及び第２直行ガイド溝６８ｄを走行しながら右側へ移動する。
次いで、引き戸２は更に右方向へ移動することで、右案内ピン５５ｃは第２直行ガイド溝６８ｄを経て第２収容ガイド溝６９ｄを走行する。その際、引き戸２の右案内ピン５５ｃは、第２斜行ガイド溝６０ｄ内に入り込むことが防止されている。この理由は以下の通りである。
【００７９】
図１２に示すように、引き戸２の右案内ピン５５ｃの案内体５４２は、左案内ピン５４ｃよりも高さ方向の位置が高い。また、右案内ピン５５ｃの案内体５４２の外径は、図２２に示すように、第２斜行ガイド溝６０ｄ側の基端側に設けられている通過防止部１００ｄ、１００ｄによって挟まれる間隙（選択通過部１０１ｄの上部側）の幅よりも大きい。
つまり、右案内ピン５５ｃの案内体５４２は、通過防止部１００ｄ、１００ｄに当たるような高さに設定されている。したがって、右案内ピン５５ｃは、通過防止部１００ｄ、１００ｄが邪魔になり、第２斜行ガイド溝６０ｄに入り込むことはない。
【００８０】
次に、右側の引き戸３を移動させた場合の各ガイド溝を走行する各案内ピン６４ｄ、５４ｄの動きについて説明する。
【００８１】
図２３は図８(ａ)に対応し、引き戸の左案内ピンの動きを示す拡大斜視説明図、
図２４は図８(ｂ)に対応し、引き戸の右案内ピンの動きを示す拡大斜視説明図、
図２５は図８(ｃ)に対応し、引き戸の左案内ピンの動きを示す拡大斜視説明図である。
なお、便宜上、引き戸３の下側の一部を想像線で図示している。
図６、図８、図１２、図２３ないし図２５を参照する。
【００８２】
（図６から図８(ａ)に示す状態まで、引き戸３を移動させた場合）
引き戸３の右案内ピン５４ｄは、第２斜行ガイド溝６０ｄを走行しながら、右から左側へ移動する。引き戸３の左案内ピン６４ｄは、図２３に示すように、第２召合せガイド溝６７ｄから第１直行ガイド溝６８ｃへ走行し、左側の第１召合せガイド溝内６７ｃに入り込むことは防止されている。この理由は以下の通りである。
【００８３】
引き戸３の左案内ピン６４ｄは、図１２に示すように、二つ重ねて設けられている回転体５４３、５４３の上に、径の大きな案内体５４２を備えている。そして、図２３に示すように、左案内ピン６４ｄの案内体５４２は、その底面部が第２召合せガイド溝６７ｄの通過防止部７１ｄ上をスライド走行し、回転体５４３、５４３が通過防止部７１ｄで囲まれた凹部７１１を走行する。
【００８４】
また、図２３に示すように、第２召合せガイド溝６７ｄは深さが「中」に設定されているため、深さが「浅」に設定された第１召合せガイド溝６７ｃとの交差部分に通過防止部７１２が形成されている。よって、引き戸３の左案内ピン６４ｄは、回転体５４３が通過防止部７１２に沿って移動するので、第１召合せガイド溝６７ｃに入り込むことはない。
【００８５】
（更に図８(ｂ)に示す状態まで、引き戸３を移動させた場合）
引き戸３の右案内ピン５４ｄは、図２４に示すように、第２斜行ガイド溝６０ｄを通過して第２直行ガイド溝６８ｄ内を走行する。この理由は以下の通り、引き戸２の場合と同様である。
【００８６】
図１２に示すように、引き戸３の右案内ピン５４ｄの案内体５４２は、左案内ピン６４ｄの案内体５４２よりも高さ方向の位置が低い。また、図２４に示すように、第２収容ガイド溝６９ｄには、第２直行ガイド溝６８ｄとの境目に通過防止部９２ｄが形成されている。このため、引き戸３の右案内ピン５４ｄは、案内体５４２が通過防止部９２ｄを沿いながら（当接しながら）、第２収容ガイド溝６９ｄから第２直行ガイド溝６８ｄへと走行する。
【００８７】
逆に、出入口を閉める方向（下部案内部６の左方向）へ引き戸３を移動させた場合、引き戸３の右案内ピン５４ｄは、通過防止部９２ｄに沿いながら（当接しながら）移動し、第２直行ガイド溝６８ｄから第２収容ガイド溝６９ｄに入り込むことはない。
【００８８】
（更に図８(ｃ)に示す状態まで、引き戸３を移動させた場合）
図８(ｃ)に示すように、引き戸３の左案内ピン６４ｄ及び右案内ピン５４ｄは、第１直行ガイド溝６８ｃ及び第２直行ガイド溝６８ｄを走行しながら左側へ移動する。
次いで、引き戸３は更に左側へ移動することで、右案内ピン５４ｄは第１直行ガイド溝６８ｄを経て第１収容ガイド溝６９ｃを走行する。その際、引き戸３の左案内ピン６４ｄは、第１斜行ガイド溝６０ｃ内に入り込むことが防止される。この理由は以下の通り、引き戸２の場合と同様である。
【００８９】
図１２に示すように、引き戸３の左案内ピン６４ｄの案内体５４２は、右案内ピン５４ｄの案内体５４２よりも高さ方向の位置が高い。また、引き戸３の左案内ピン６４ｄは、図２５に示すように、案内体５４２の外径が、第１斜行ガイド溝６０ｃ側の基端側に設けられている通過防止部１００ｃ、１００ｃの間隙（選択通過部１０１ｃの上部側）の幅の広さより大きい。つまり、左案内ピン６４ｄの案内体５４２は、通過防止部１００ｃ、１００ｃに当たる高さに設定されている。
したがって、左案内ピン５４ｃは、通過防止部１００ｃ、１００ｃが邪魔になり、第２斜行ガイド溝６０ｃに入り込むことはない。
【００９０】
以上説明したように、本実施の形態に係る引き戸構造によれば、各ガイド溝６７ｃ・・・の深さの違いによって生じる通過防止部７１２、９２ｃ、９２ｄや各ガイド溝６０ｃ、６０ｄの幅の広さを狭くする通過防止部１００ｃ、１００ｄにより、各案内ピン５４ｃが他のガイド溝内を走行することはない。
【００９１】
図２６は本発明に係る食器棚の他の実施の形態を示す横断面図、
図２７は図２６におけるＣ−Ｃ断面図である。
なお、本実施の形態に係る食器棚Ｂは、引き戸２、３と内戸４、５の連動構造以外は前記食器棚Ａと同じ構造を有しているので、構造について重複する説明は基本的に省略し、図面においては同等箇所に同等の符号を付して示す。
【００９２】
食器棚Ｂの引き戸２、３と内戸４、５の連動構造は次のとおりである。なお、引き戸２と内戸４、及び引き戸３と内戸５の連動構造は、設けられている箇所が左右対称位置にあるだけで構造は同様であるので、ここでは、図２６において左側の引き戸２と内戸４の連動構造を説明し、右側の引き戸３と内戸５の連動構造については説明を省略する。また、引き戸３と内戸５の連動構造の各部の符号については、引き戸２と内戸４の連動構造の説明の符号の後に、図に示した対応する符号を括弧付き符号で示す。
【００９３】
引き戸２（３）の枠２８（３８）の引手２２（３２）に対応する裏面側には、上下方向中間部を挟んで上下二箇所に、連結手段を構成する棒状の連結部材４１ａ（５１ａ）の一端側が枠２８に差し込まれて固着されている。各連結部材４１ａは、水平かつ前後方向へ後方の内戸４（５）へ向けて設けられている。内戸４には、各連結部材４１ａと同じ高さに掛止孔４２（５２）が貫通して設けられている。
【００９４】
また、各連結部材４１ａの高さは、収納部１０内に二段に設けられている棚板１６ａの高さに合わせられている。各棚板１６ａの正面側の端面部には、ほぼ全幅にわたり逃げ溝１６０が水平方向に設けられている。逃げ溝１６０には、前記掛止孔４２を貫通した連結部材４１ａが進退可能に挿通されている。各連結部材４１ａの長さ及び各逃げ溝１６０の深さ（奥行き）は、引き戸２と内戸４が最も離れたときに掛止孔４２から抜け外れることがなく、引き戸２と内戸４が最も近づいたときに先端が逃げ溝１６０の溝底に当たらない長さに設定されている。
【００９５】
そして、引き戸２、３は、開き方向へ移動するときは、下部案内部６と上部案内部７に沿って背面方向（後方向）へ移動し、逆に開き位置から閉じ方向へ移動するときは、下部案内部６と上部案内部７に沿って正面方向（前方向）へ移動する。このときの引き戸２、３が前後方向に移動するときの移動量の変化は、引き戸２、３と内戸４、５をつないでいる連結部材４１ａが内戸４、５の掛止孔４２、５２と各棚板１６ａの逃げ溝１６０内を進退動することによって吸収され（または受け入れられ）、引き戸２、３と内戸４、５に無理な力が作用することもなく、引き戸２、３と内戸４、５を連動させることができる。
【００９６】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００９７】
【図１】本発明に係る食器棚の一実施の形態を示す正面図。
【図２】図１におけるＡ−Ａ断面図。
【図３】図１におけるＢ−Ｂ断面図。
【図４】図２の状態から右側の引き戸を開けた状態の断面説明図。
【図５】図２の状態から左側の引き戸を開けた状態の断面説明図。
【図６】図１５のII−II部分に対応する断面を示す拡大説明図。
【図７】図６で左側の第１引き戸を移動させて左側の出入口を段階的に開いている状態を示す概略説明図。
【図８】図６で右側の第２引き戸を移動させて右側の出入口を段階的に開いている状態を示す概略説明図。
【図９】図６に示す敷居の長手方向の中間部分を示す要部拡大説明図。
【図１０】図９の矢印III−III、IV−IV、V−V部分に対応する端面を示す概略説明図。
【図１１】図９の斜視説明図。
【図１２】各引き戸の上部側及び下部側をそれぞれ拡大し、各引き戸の長手方向の中央部分及び短辺方向の中央部分を一部省略した正面視説明図。
【図１３】各引き戸に設けられた下部案内部のガイド溝を走行する各案内部材を示す拡大斜視説明図。
【図１４】図６に示す下部案内部の長手方向の左端部分を示す要部拡大説明図。
【図１５】図１４の矢印VI−VI部分、VII−VII部分、VIII−VIIIの通過防止部側に対応する端面を示す概略説明図。
【図１６】図１４に示す下部案内部の長手方向の左端部分を中央側から見た要部拡大斜視説明図。
【図１７】図６に示す下部案内部の長手方向の右端部分を示す要部拡大説明図。
【図１８】図１７の矢印IX−IX部分、X−Xの通過防止部側、XII−XII部分に対応する端面を示す概略説明図。
【図１９】図１７に示す下部案内部の長手方向の右端部分を中央側から見た要部拡大斜視説明図。
【図２０】図７(ａ)に対応し、引き戸の右案内ピンの動きを示す拡大斜視説明図。
【図２１】図７(ｂ)に対応し、引き戸の左案内ピンの動きを示す拡大斜視説明図。
【図２２】図２２は図７(ｃ)に対応し、引き戸の右案内ピンの動きを示す拡大斜視説明図。
【図２３】図８(ａ)に対応し、引き戸の左案内ピンの動きを示す拡大斜視説明図。
【図２４】図８(ｂ)に対応し、引き戸の右案内ピンの動きを示す拡大斜視説明図。
【図２５】図８(ｃ)に対応し、引き戸の左案内ピンの動きを示す拡大斜視説明図。
【図２６】本発明に係る食器棚の他の実施の形態を示す横断面図。
【図２７】図２６におけるＣ−Ｃ断面図。
【符号の説明】
【００９８】
Ａ、Ｂ  食器棚
１  本体
１０  収納部
１１  底板
１２  左側板
１３  右側板
１４  背面板
１５  天板
１６  棚板
１７  ガイドレール
１８  溝
２  引き戸
３  引き戸
２１  合わせ面
２２、３２  引手
３１  合わせ面
２３、３３  補強部材
２４、３４  案内管
２５、３５  逃げ面
２８、３８  枠
２９、３９  ガラス
４、５  内戸
４１、５１  連結部材
６  下部案内部
７  上部案内部
８  目隠し部材
５４ｃ  左案内ピン
５４ｄ  右案内ピン
５５ｃ  右案内ピン
６０ｃ  第１斜行ガイド溝
６０ｄ  第２斜行ガイド溝
６４ｄ  左案内ピン
６７ｃ  第１召合せガイド溝
６７ｄ  第２召合せガイド溝
６８ｃ  第１直行ガイド溝
６８ｄ  第２直行ガイド溝
６９ｃ  第１収容ガイド溝
６９ｄ  第２収容ガイド溝
７１ｄ  通過防止部
８１  合わせ部
９１ｃ  通過防止部
９２ｃ  通過防止部
９２ｄ  通過防止部
１００ｃ、１００ｄ  通過防止部
１０１ｃ  選択通過部
１０１ｄ  選択通過部
１２１  溝
１３１  溝
４３１  戸車
５４１  軸部
５４２  案内体
５５１  軸部
７１１  凹部
７１２  通過防止部
４１ａ、５１ａ  連結部材
４２、５２  掛止孔
１６ａ  棚板
１６０  逃げ溝
【図１】
2008274656.tif 000003
【図２】
2008274656.tif 000004
【図３】
2008274656.tif 000005
【図４】
2008274656.tif 000006
【図５】
2008274656.tif 000007
【図６】
2008274656.tif 000008
【図７】
2008274656.tif 000009
【図８】
2008274656.tif 000010
【図９】
2008274656.tif 000011
【図１０】
2008274656.tif 000012
【図１１】
2008274656.tif 000013
【図１２】
2008274656.tif 000014
【図１３】
2008274656.tif 000015
【図１４】
2008274656.tif 000016
【図１５】
2008274656.tif 000017
【図１６】
2008274656.tif 000018
【図１７】
2008274656.tif 000019
【図１８】
2008274656.tif 000020
【図１９】
2008274656.tif 000021
【図２０】
2008274656.tif 000022
【図２１】
2008274656.tif 000023
【図２２】
2008274656.tif 000024
【図２３】
2008274656.tif 000025
【図２４】
2008274656.tif 000026
【図２５】
2008274656.tif 000027
【図２６】
2008274656.tif 000028
【図２７】
2008274656.tif 000029